(57)【特許請求の範囲】
【請求項１】
梁材と柱材とによって骨組みが形成されているとともに鉛直方向に延びる仮支持材が取り付けられた仮支持材付きユニットであって、
前記仮支持材は、少なくとも一方の端部が前記梁材の側面に着脱自在な状態で取り付けられる構成であるとともに、
前記仮支持材の前記梁材の側面への取付部には、軸直交方向の一端が開放された溝部が形成されており、
前記溝部には、前記梁材の側面から突出された連結材が収容され、前記連結材の先端には座板部が装着されていることを特徴とする仮支持材付きユニット。
【請求項２】
前記座板部には、前記連結材となるボルトの先端をねじ込むためのナットが固着されていることを特徴とする請求項１に記載の仮支持材付きユニット。
【請求項３】
前記取付部は、前記仮支持材の下端に設けられていることを特徴とする請求項２に記載の仮支持材付きユニット。
【請求項４】
前記仮支持材の上端には、前記柱材に接続される部材の下面に接触させた支持面部が設けられていることを特徴とする請求項３に記載の仮支持材付きユニット。
【請求項５】
請求項１乃至４のいずれか一項に記載の仮支持材付きユニットを、横方向に隣接する梁材と柱材とによって骨組みが形成された建物ユニットに連結させたことを特徴とするユニット建物。
【請求項６】
請求項１乃至４のいずれか一項に記載の仮支持材付きユニットを使用したユニット建物の構築方法であって、
前記仮支持材付きユニットを設置する工程と、
前記仮支持材付きユニットを、横方向に隣接する建物ユニットに連結する工程と、
前記仮支持材を取り外す工程とを備えたことを特徴とするユニット建物の構築方法。
【発明の詳細な説明】
【技術分野】
【０００１】
本発明は、鉛直方向に延びる仮支持材が取り付けられた仮支持材付きユニット、並びにそれを使って構築されたユニット建物及びユニット建物の構築方法に関するものである。
【背景技術】
【０００２】
梁材と柱材とによって骨組みが形成される工場で製作された建物ユニットを、横方向及び縦方向に積み重ねて構築されるユニット建物が知られている（特許文献１−４など参照）。
【０００３】
一方、特許文献１，２に開示されているように、ボックス形の建物ユニットの一角の柱を省略する場合に、輸送時の強度と連結の際の寸法精度とを確保するために、柱省略部には仮柱が設けられる。
【０００４】
この仮柱は、天井梁の交点と床梁の交点との間に介在されて、撤去時にも大きな軸力が作用した状態となっているため、撤去しやすくするために分割可能な構成としている。
【０００５】
また、特許文献３には、台形ユニットを製造する際に、製造過程において一時的に天井梁の下面と床梁の上面との間に仮柱を介在させて、完成後に仮柱を取り外すことが記載されている。
【０００６】
さらに、特許文献４には、玄関ポーチの屋根や柱付きのバルコニーなどをユニット式建物に設けるために、仮柱と仮梁が仮固定されたユニットを使用し、運搬後に他の建物ユニットに連結した後に、仮柱及び仮梁を取り外すことが記載されている。
【先行技術文献】
【特許文献】
【０００７】
【特許文献１】特開２０００−８７４５５号公報
【特許文献２】特開平７−１２７２６９号公報
【特許文献３】特開平６−２４８７０９号公報
【特許文献４】特開２０１０−１５９５８１号公報
【発明の概要】
【発明が解決しようとする課題】
【０００８】
しかしながら、一時的に荷重を支持させるだけの仮支持材であれば、可能な限り簡単な構成で、役割を終えた後には、容易に取り外しができることが望まれる。
【０００９】
そこで、本発明は、簡単な構成で容易に取り外すことができる仮支持材が取り付けられた仮支持材付きユニット、ユニット建物及びユニット建物の構築方法を提供することを目的としている。
【課題を解決するための手段】
【００１０】
前記目的を達成するために、本発明の仮支持材付きユニットは、梁材と柱材とによって骨組みが形成されているとともに鉛直方向に延びる仮支持材が取り付けられた仮支持材付きユニットであって、前記仮支持材は、少なくとも一方の端部が前記梁材の側面に着脱自在な状態で取り付けられていることを特徴とする。
【００１１】
ここで、前記仮支持材の前記梁材の側面への取付部には、軸直交方向の一端が開放された溝部が形成されており、前記溝部には、前記梁材の側面から突出された連結材が収容されている構成とすることができる。
【００１２】
また、前記取付部は、前記仮支持材の下端に設けられている構成とすることができる。さらに、前記仮支持材の上端には、前記柱材に接続される部材の下面に接触させた支持面部が設けられている構成とすることができる。
【００１３】
また、ユニット建物の発明は、上記いずれかに記載の仮支持材付きユニットを、横方向に隣接する建物ユニットに連結させたことを特徴とする。
【００１４】
さらに、ユニット建物の構築方法の発明は、上記いずれかに記載の仮支持材付きユニットを使用したユニット建物の構築方法であって、前記仮支持材付きユニットを設置する工程と、前記仮支持材付きユニットを、横方向に隣接する建物ユニットに連結する工程と、前記仮支持材を取り外す工程とを備えたことを特徴とする。
【発明の効果】
【００１５】
このように構成された本発明の仮支持材付きユニットでは、梁材と柱材とによって形成された骨組みに取り付けられた仮支持材は、少なくとも一方の端部が梁材の側面に着脱自在な状態で取り付けられている。
【００１６】
鉛直方向に作用する軸力をかわしやすくするために、梁材の側面に着脱自在な状態で端部が取り付けられた仮支持材は、簡単な構成で容易に取り外すことができる。
【００１７】
また、仮支持材の取付部に軸直交方向の一端が開放された溝部を形成しておき、梁材の側面から突出された連結材がその溝部に収容されるような構成であれば、取付部を側方にずらすことで、容易に仮支持材を取り外すことができる。
【００１８】
さらに、梁材の側面に着脱自在な取付部が仮支持材の下端に設けられていれば、鉛直荷重が大きく作用しやすい下端において、軸力の開放がし易くなる。また、仮支持材の上端に、梁材やその他の横架材の下面に接触させた支持面部が設けられていれば、鉛直荷重を下方から確実に支持させることができる。
【００１９】
さらに、仮支持材付きユニットを横方向に隣接する建物ユニットに連結させることで構造的に安定させたユニット建物からは、仮支持材を安全に取り外すことができる。
【図面の簡単な説明】
【００２０】
【図１】本実施の形態の仮支持材付きユニットに束材を取り付ける工程を説明する斜視図である。
【図２】仮支持材である束材の構成を説明する側面図である。
【図３】天井梁の下面を支える束材の支持面部周辺を拡大した側面図である。
【図４】束材の取付部周辺を説明する図であって、（ａ）は外側から見た外側面図、（ｂ）は（ａ）のＡ−Ａ矢視方向で見た断面図、（ｃ）は内側から見た内側面図である。
【図５】仮支持材付きユニットから束材を取り外す工程を説明する斜視図である。
【図６】束材を取り外す工程を取付部周辺の状態で説明する図であって、（ａ）は取り外す前の状態を示した内側面図、（ｂ）は取付部の締結を緩めた状態を示した内側面図である。
【発明を実施するための形態】
【００２１】
以下、本発明の実施の形態について図面を参照して説明する。図１は、本実施の形態の仮支持材付きユニット１を説明するための斜視図である。
【００２２】
仮支持材付きユニット１は、四隅に配置される柱材としての柱１１，・・・と、その柱１１，・・・の下端間に差し渡される梁材としての床梁１２，１２Ａ，・・・と、柱１１，・・・の上端間に架け渡される梁材としての天井梁１３，１３Ａ，・・・とによってボックス形の骨組構造体に形成される。
【００２３】
ここで、柱１１は角形鋼管、床梁１２，１２Ａ及び天井梁１３，１３Ａは断面視略コ字形の溝形鋼材によって形成されている。詳細には、床梁１２の側面は、上下のフランジの側縁間を繋ぐウェブ１２１によって形成される。
【００２４】
また、柱１１と床梁１２（１２Ａ）及び天井梁１３（１３Ａ）は、接合枠材１４（１４Ａ）を介して溶接接合される。
【００２５】
そして、仮支持材付きユニット１は、隣接する建物ユニットに連結されることによって、安定した状態のユニット建物に構築される。この安定した状態になるまでの間、仮支持材付きユニット１を補強する部材が、仮支持材としての束材３である。
【００２６】
図２には、束材３の側面図を示した。この束材３は、鉛直方向に延びる軸部３１と、上端に設けられる支持面部３２と、下端に設けられる取付部３３とによって主に構成される。
【００２７】
束材３は、図１に示すように、天井梁１３と床梁１２との間隔と略同じ長さ（高さ）に形成される。そして、軸部３１には、主に鉛直荷重が軸力として作用する。
【００２８】
一方、支持面部３２には、支持面３２１が設けられる。この支持面３２１には、柱１１に接続される天井梁１３の下面１３１を接触させる。さらに詳細に説明すると、支持面３２１は、軸部３１の上端を塞ぐように設けられる。この支持面３２１は、軸部３１外形の面積よりも広い面積に形成され、一部が側方に張り出される。
【００２９】
この支持面部３２によって支持させる天井梁１３は、図３に示すように、接続部１３２によって接続された撤去部１３３が取り外せる構成となっている。そして、支持面３２１は、天井梁１３の下面１３１に接触させる。
【００３０】
具体的には、軸部３１の上端に設けられる支持面３２１は、残置される天井梁１３の下面１３１に接触されて、ボルト３２４とナット３２５によって天井梁１３に締結される。
【００３１】
取付部３３は、図２及び図４に示すように、床梁１２の側面となるウェブ１２１に着脱自在な状態で取り付けられるような構成にされる。この取付部３３は、略長方形の鋼板等によって形成され、上部が溶接によって軸部３１の側面に接合される。
【００３２】
取付部３３の軸部３１の下方に突出される下部には、軸部３１の軸直交方向の一端が開放された上段溝部３３１と下段溝部３３２とが形成される。上段溝部３３１と下段溝部３３２は、軸部３１の軸方向に間隔を置いて略平行に設けられる。
【００３３】
また、上段溝部３３１と下段溝部３３２とは、同じ側が開放されており、それらの間には、穴部３３３が設けられる。上段溝部３３１及び下段溝部３３２には、図５に示すように、床梁１２のウェブ１２１から突出された連結材となるボルト３３４，３３４がそれぞれ収容される。
【００３４】
このボルト３３４は、ウェブ１２１の外側面からねじ込まれて、床梁１２の内側に突出される。ボルト３３４の先端には、座板部３３６とナット３３５が装着される。
【００３５】
座板部３３６とナット３３５とは、溶接で接合されており、ナット３３５を回すと一体である座板部３３６も回転することになる。意図せぬ時機に座板部３３６が回転するのを防ぐために、座板部３３６はネジ３３７，３３７によってウェブ１２１のネジ穴３３８，３３８に固定される。
【００３６】
次に、束材３が取り付けられた仮支持材付きユニット１を使ったユニット建物の構築方法、並びに本実施の形態の仮支持材付きユニット１、それを使って構築されるユニット建物及びユニット建物の構築方法の作用について説明する。
【００３７】
まず、図１に示すように、仮支持材付きユニット１の両側面に、束材３，３を取り付ける。束材３は、天井梁１３の接続部１３２が支持される位置に取り付けられる。
【００３８】
具体的には図３に示すように、接続部１３２を挟んで天井梁１３の下面１３１に、支持面部３２の支持面３２１を接触させる。そして、支持面３２１は、ボルト３２４とナット３２５によって天井梁１３に固定する。
【００３９】
一方、束材３の取付部３３は、図４（ａ），（ｂ）に示すように、床梁１２のウェブ１２１の外側面に接触させる。
【００４０】
取付部３３の上段溝部３３１及び下段溝部３３２には、ボルト３３４，３３４をそれぞれ挿し込み、床梁１２の内側に突出された先端には、ナット３３５が固着された座板部３３６を装着する。そして、座板部３３６が回転しないようにネジ３３７，３３７によってウェブ１２１のネジ穴３３８，３３８に固定する。
【００４１】
このようにして工場で組み立てられた仮支持材付きユニット１は、建築現場まで搬送される。
【００４２】
仮支持材付きユニット１は、隣接する建物ユニットにボルト（図示省略）などを使って連結されると、構造的に安定した状態になる。そこで、天井梁１３の接続部１３２における接続を解除して、撤去部１３３を取り除く。
【００４３】
さらに、束材３の支持面３２１を固定していたボルト３２４を緩める。一方、図６（ａ）に示すように、ネジ３３７，・・・を外し、座板部３３６，３３６を矢印の方向に回転させる。
【００４４】
座板部３３６にはナット３３５が固着されているので、座板部３３６を回すとボルト３３４が緩むことになる。その状態で束材３の取付部３３を床梁１２の長手方向にずらすことで、一端が開放された溝部（上段溝部３３１，下段溝部３３２）をボルト３２４，３２４から引き抜くことができる。
【００４５】
このようにして上下のボルト３２４，３３４による拘束を解除して、図５に示すように束材３，３を撤去して、ユニット建物を完成させる。
【００４６】
このように構成された本実施の形態の仮支持材付きユニット１では、梁材と柱材とによって形成された骨組みに取り付けられた束材３は、下端が床梁１２のウェブ１２１に着脱自在な状態で取り付けられている。
【００４７】
鉛直方向に作用する軸力をかわしやすくするために、床梁１２の側面に着脱自在な状態で端部が取り付けられた束材３は、簡単な構成で容易に取り外すことができる。
【００４８】
また、束材３の取付部３３に軸直交方向の一端が開放された溝部（３３１，３３２）を形成しておき、床梁１２の側面から突出されたボルト３３４，３３４がそれらの溝部（３３１，３３２）に収容されるような構成であれば、取付部３３を側方にずらすことで、容易に束材３を取り外すことができる。
【００４９】
すなわち、仮支持材付きユニット１の床梁１２の外側面側には、隣接する建物ユニットの床梁が近接しており、ボルト３３４の頭部を直接まわしたり、ボルト３３４を外側に引き抜いたりする隙間がない。
【００５０】
このような場合に、図６に示すように床梁１２の内側からボルト３３４を緩めて、取付部３３を側方（床梁１２の長手方向）にずらすだけでボルト３３４の拘束から解除できれば、束材３を簡単に取り外すことができる。
【００５１】
また、床梁１２の側面に着脱自在な束材３の取付部３３が下端に設けられていれば、鉛直荷重が大きく作用しやすい下端において、軸力の開放がし易くなる。
【００５２】
さらに、束材３の上端に、天井梁１３の枠材の下面１３１に接触させた支持面部３２が設けられていれば、鉛直荷重を下方から確実に支持させることができる。
【００５３】
そして、仮支持材付きユニット１を横方向に隣接する建物ユニットに連結させることで構造的に安定したユニット建物からは、束材３を安全に取り外すことができる。
【００５４】
以上、図面を参照して、本発明の実施の形態を詳述してきたが、具体的な構成は、この実施の形態に限らず、本発明の要旨を逸脱しない程度の設計的変更は、本発明に含まれる。
【００５５】
例えば、前記実施の形態では、１種類の仮支持材（３）が取り付けられた仮支持材付きユニット１について説明したが、これに限定されるものではなく、２種類以上の仮支持材が取り付けられた仮支持材付きユニットであってもよい。
【００５６】
また、前記実施の形態では、束材３の下端にのみ梁材の側面に着脱自在な取付部３３が設けられた構成について説明したが、これに限定されるものではなく、上端及び下端の両方に梁材の側面に着脱自在な取付部が設けられた仮支持材であってもよい。また、上端のみに梁材の側面に着脱自在な取付部が設けられた仮支持材とすることもできる。
【符号の説明】
【００５７】
１              仮支持材付きユニット
１１            柱（柱材）
１２，１２Ａ    床梁（梁材）
１２１          ウェブ（側面）
１３，１３Ａ    天井梁（梁材）
１３１          下面
１９１ａ        下面
３              束材（仮支持材）
３２            支持面部
３３            取付部
３３１          上段溝部（溝部）
３３２          下段溝部（溝部）
３３４          ボルト（連結材）
【図１】
0006622536.tif 000002
【図２】
0006622536.tif 000003
【図３】
0006622536.tif 000004
【図４】
0006622536.tif 000005
【図５】
0006622536.tif 000006
【図６】
0006622536.tif 000007